(57)【特許請求の範囲】
【請求項１】
使用者の足を挿入するための履き口部と、
前記履き口部の一部を切り欠いて爪先側方向に向かって形成されている足挿入用開口部と、を備えるアッパー本体部と、
前記足挿入用開口部の形成に対応して配置される舌状当接部と、
前記足挿入用開口部の開口状態を任意の状態に保持するための固定用ベルト部と、
前記固定用ベルト部の少なくとも一端部を前記アッパー本体部に対して着脱可能で、位置の調整可能な係合手段と、
挿入された使用者の足の足裏側を配置するための靴底部と、
挿入された足の踵を保持するために前記靴底部に形成される靴底側踵部及び前記アッパー本体部に形成されるアッパー本体側踵部と、
少なくとも前記アッパー本体側踵部に、その剛性を高めるために配置されるカウンター部と、を備える幼児用靴であって、
前記固定用ベルト部の両端部は、前記カウンター部の外縁部に近接して配置されると共に、
前記固定用ベルト部の両端部のそれぞれ幅方向における略中央部を結んだ仮想線を、そのまま延長した場合に、この仮想線が靴の最後端領域で前記アッパー本体側踵部と前記靴底側踵部とで形成される境界部又はその近傍に達するように前記固定用ベルト部は設けられ、
さらに、使用者の足の甲における足高点又はその近傍に、前記固定用ベルト部が配置可能な構成となっており、
前記固定用ベルト部の下縁部側が使用者の足の足高点又はその近傍に配置可能な構成となっており、
前記舌状当接部の爪先側の端部は、前記足挿入用開口部の爪先側の端部又はその近傍の前記アッパー本体部に設けられた舌状当接部取り付け領域である縫合部に設けられると共に、
前記舌状当接部取り付け領域である縫合部は、使用者の足の足指屈曲線又はその近傍の上方に相当する位置に形成される構成となっており、
溝部が配置されている前記靴底部及び／又は前記靴底側に屈曲溝が形成されるインソールを有し、
前記溝部及び前記屈曲溝は、前記足指屈曲線又はその近傍に対応して配置され、
前記アッパー本体部の爪先部の内側は、幼児の足の親指が配置される部分が最も厚く、小指が配置される部分に向かって薄くなるように形成されていることを特徴とする幼児用靴。
【請求項２】
前記固定用ベルト部の両端部を前記アッパー本体部に装着した際に、両端部がそれぞれ長手方向に対して左右対称の位置に配置されるよう構成されることを特徴とする請求項１に記載の幼児用靴。
【請求項３】
前記固定用ベルト部の上縁部側が凹状に形成されていることを特徴とする請求項１又は請求項２に記載の幼児用靴。
【請求項４】
前記固定用ベルト部の中央部の幅が両端部の幅に比して狭く形成されていることを特徴とする請求項１乃至請求項３のいずれかに記載の幼児用靴。
【請求項５】
前記アッパー本体部に形成された履き口部と前記足挿入用開口部とで形成される開口と、前記靴とを平面図において表した場合に、前記開口の最大長さが、前記靴の最大長さに対して、５５％以上に形成されていることを特徴とする請求項１乃至請求項４のいずれかに記載の幼児用靴。
【請求項６】
前記舌状当接部上に配置される前記固定用ベルト部の幅が２０ｍｍ乃至２５ｍｍに形成されていることを特徴とする請求項１乃至請求項５のいずれかに記載の幼児用靴。
【発明の詳細な説明】
【０００１】
【発明の属する技術分野】
本発明は、使用者が足を挿入し易く、歩き易い幼児用靴に関するものである。
【０００２】
【従来の技術】
一般に、例えば運動靴のように、足を挿入した後の歩き易さ、すなわち、足のホールド性を考慮する靴については、使用者の足を挿入するための履き口等を比較的小さく形成する傾向にある。すなわち、履き口等を比較的小さく形成すると、靴が脱げ難く、靴全体で足をホールドし易いからである。
一方、幼児用靴等のように、他人が靴を履かせるタイプの靴では、前記運動靴と異なり、足を挿入した後のホールド性より、他人が履かせ易くするため、履き口等が比較的大きく形成される傾向にある。この場合は、使用者が足を挿入し易いが、運動靴と異なり足のホールド性に欠けるため、足が靴の中で十分に固定されず、歩行し難い靴となる。
【０００３】
【発明が解決しようとする課題】
しかし、近年、従来と異なりホールド性が良好で歩き易く、且つ履き口等が大きく足を挿入し易い靴が強く求められている。しかし、上述のようにホールド性を追求すれば履き難い靴となり、履き口等を大きく足の挿入し易さを追求すれば、ホールド性が劣り、歩き難い靴となり問題となっていた。
また、ホールド性の高さと、履き口等の大きさを共に求めると、中途半端な靴となり、歩き難く、足を挿入し難い靴となり、より問題となっていた。
【０００４】
本発明は、以上の点に鑑み、使用者の足を挿入し易く、かつ、挿入した足を十分に固定できる、履き易く且つホールド性に優れた歩き易い幼児用靴を提供することを目的とする。
【０００５】
【課題を解決するための手段】
前記目的は、請求項１の発明によれば、使用者の足を挿入するための履き口部と、前記履き口部の一部を切り欠いて爪先側方向に向かって形成されている足挿入用開口部と、を備えるアッパー本体部と、前記足挿入用開口部の形成に対応して配置される舌状当接部と、前記足挿入用開口部の開口状態を任意の状態に保持するための固定用ベルト部と、前記固定用ベルト部の少なくとも一端部を前記アッパー本体部に対して着脱可能で、位置の調整可能な係合手段と、挿入された使用者の足の足裏側を配置するための靴底部と、挿入された足の踵を保持するために前記靴底部に形成される靴底側踵部及び前記アッパー本体部に形成されるアッパー本体側踵部と、少なくとも前記アッパー本体側踵部に、その剛性を高めるために配置されるカウンター部と、を備える幼児用靴であって、前記固定用ベルト部の両端部は、前記カウンター部の外縁部に近接して配置されると共に、前記固定用ベルト部の両端部のそれぞれ幅方向における略中央部を結んだ仮想線を、そのまま延長した場合に、この仮想線が靴の最後端領域で前記アッパー本体側踵部と前記靴底側踵部とで形成される境界部又はその近傍に達するように前記固定用ベルト部は設けられ、さらに、使用者の足の甲における足高点又はその近傍に、前記固定用ベルト部が配置可能な構成となっており、前記固定用ベルト部の下縁部側が使用者の足の足高点又はその近傍に配置可能な構成となっており、前記舌状当接部の爪先側の端部は、前記足挿入用開口部の爪先側の端部又はその近傍の前記アッパー本体部に設けられた舌状当接部取り付け領域である縫合部に設けられると共に、前記舌状当接部取り付け領域である縫合部は、使用者の足の足指屈曲線又はその近傍の上方に相当する位置に形成される構成となっており、溝部が配置されている前記靴底部及び／又は前記靴底側に屈曲溝が形成されるインソールを有し、前記溝部及び前記屈曲溝は、前記足指屈曲線又はその近傍に対応して配置され、前記アッパー本体部の爪先部の内側は、幼児の足の親指が配置される部分が最も厚く、小指が配置される部分に向かって薄くなるように形成されていることを特徴とする幼児用靴により達成される。
【０００６】
請求項１の構成によれば、前記固定用ベルト部の両端部のそれぞれ幅方向における略中央部を結んだ仮想線を、そのまま延長した場合に、この仮想線が靴の最後端領域で前記アッパー本体側踵部と前記靴底側踵部とで形成される境界部又はその近傍に達するように前記固定用ベルト部は設けられている。
したがって、前記固定用ベルト部は使用者の足を靴の踵部の方向に固定するように作用することとなる。このため、従来の靴のように使用者の足を靴底方向へ固定する場合に比べ格段にホールド性が向上し、靴の中で、足が動いてしまい、歩行しずらいことに伴う、足の運びや足の形への影響を防ぐことができる。
【０００７】
また、本請求項によれば、少なくとも前記アッパー本体側踵部に、その剛性を高めるために配置されるカウンター部が形成されている。
したがって、前記カウンター部が配置されることで、靴の前記アッパー本体側踵部の剛性が高められ、前記アッパー本体側踵部と前記靴底側踵部とで形成される靴の踵部に使用者の足の踵が正確にホールドされ易くなる。
すなわち、前記固定用ベルト部が上述のように使用者の足を靴の踵部方向へ固定するように作用すると、この剛性が高められた前記カウンター部を介して使用者の足の踵が前記靴の踵部に押し付けられ、より強固に足の踵が靴の踵部に固定されるので、ホールド性が著しく向上することになる。
【０００８】
また、本請求項によれば、前記固定用ベルト部の両端部は、前記カウンター部の外縁部に近接して配置されている。
したがって、前記カウンター部と前記両端部との間が直接固定されず、使用者の歩行時の足の変形に応じて変形可能となっているので、使用者が歩行に際し足を変形し易い構成となっており、歩き易い靴となっている。
これにより、使用者の足が靴の中でしっかり固定され、且つ必要に応じて屈曲も行い易いので、歩きやすい靴となる。
【０００９】
さらに、本請求項によれば、使用者の足の足高点又はその近傍に、前記固定用ベルト部が配置可能な構成となっている。
したがって、前記固定用ベルト部が、使用者の足の甲を靴底方向に押し付け、靴の中の足のホールド性が低下するのを効果的に防ぐことができる。
すなわち、使用者の足の足高点又はその近傍より爪先側の足の甲に前記固定用ベルト部が配置されると、この固定用ベルト部の押し付け力は足の甲側から足の裏側に向けられ、足を靴底側に押し付け足を固定しようとする。これでは、足の甲の部分を押し付けるだけで、靴の中における足の動きが大きくなり易く、足がズレ易く、足の踵の固定ができず、歩きずらくなってしまう。
この点、本請求項の構成では、前記固定用ベルト部が使用者の足の足高点又はその近傍に配置されるので、不必要に足の甲を足裏側に押さえつけることがなく、靴の踵部方向に、足の踵を固定することとなり、靴の中で足が動いてしまうことを防ぐ。
【００１０】
また、本請求項の構成では、前記履き口部の一部を切り欠いて爪先側方向に向かって形成されている足挿入用開口部と、前記足挿入用開口部に対応して配置されている舌状当接部とが備えられている。
したがって、この前記足挿入用開口部を広げ、前記舌状当接部を開状態にすれば、靴の履き口部が十分の大きく開口し、使用者が足を入れ易い靴となる。
【００１１】
そして、本請求項の構成では、前記足挿入用開口部の開口状態を任意の状態に保持するための固定用ベルト部と、前記固定用ベルト部の少なくとも一端部を前記アッパー本体部に対して着脱可能で、位置の調整可能な係合手段とを備えている。
したがって、足の固定は前記固定用ベルトを前記アッパー本体部に着脱するだけなので、紐等によって固定する場合より極めて容易に着脱ができ、更に、位置が調整できるため、足のサイズや形状の違いに対応して、固定することができる。
また、本請求項の構成では、前記固定用ベルト部の下縁部側が使用者の足の足高点又はその近傍に配置可能な構成となっている。
したがって、前記固定用ベルト部が、使用者の足の足高点又はその近傍から爪先側に配置された場合の足の甲を靴底部側に押し付けてしまうことや、足首側に配置された場合における足首を曲げる動きを妨げてしまうことなどの問題を防ぐことができるので、より精度良く使用者の足を靴の前記踵部に押し付けることができ、使用者の足のホールド性がより高まる靴となる。
以上により、本請求項の構成によれば、使用者が足を入れ易く、又は介助者が履かせ易い靴であると共に、靴を履いた後は、足が靴の踵部に押し付けられて固定されるので、ホールド性が良く歩きやすい靴となる。
特に、本請求項の構成では、幼児用靴であるので、幼児等が足を入れ易く、又は介助者である母親等が履かせ易い靴であると共に、靴を履いた後は、足が靴の踵部に押し付けられて固定されるので、ホールド性が良く、幼児等にとって歩きやすい幼児用靴となる。
特に、歩行初期における幼児は、歩行能力が未発達であり、靴の中で足がズレた場合に応じて、足の運びを変えられないため、転倒したり、足の運び方に影響が出てしまう等の問題が大きい。また、指先の動きを阻害しないために爪先側に余裕を持たせる必要性が、この時期の幼児用の靴にはあるが、爪先側に余裕を持たせた場合には、靴の中で足がズレてしまう可能性が高まるため、足の踵を靴の踵部に固定する必要性が高い。
【００１２】
好ましくは、請求項２の発明によれば、請求項１の構成において、前記固定用ベルト部の両端部を前記アッパー本体部に装着した際に、両端部がそれぞれ長手方向に対して左右対称の位置に配置されるよう構成されることを特徴とする幼児用靴である。
【００１３】
請求項２の構成によれば、前記固定用ベルト部の両端部を前記アッパー本体部に装着した際に、両端部がそれぞれ長手方向に対して左右対称の位置に配置されるよう構成される。
したがって、使用者の前記固定用ベルト部の締め付け量に伴う、靴の歪みを低減することができる共に、前記固定用ベルト部を左右均等に力をかけることになるため、足の足高点側から踵の方向に正しく力をかけて踵を靴に固定できる。
【００１６】
好ましくは、請求項３の発明によれば、請求項１又は請求項２の構成において、前記固定用ベルト部の上縁部側が凹状に形成されていることを特徴とする幼児用靴である。
【００１７】
請求項３の構成によれば、前記固定用ベルト部の上縁部側が凹状に形成されている。
前記固定用ベルト部の上縁部側は、使用者が靴を履き、歩行する際に足首が屈曲すると、この屈曲した足首に当たってしまい歩行の妨げとなる部分である。
特に、例えば幼児等のように足首が太い場合は、歩行の際、足首を屈曲すると、より前記固定ベルト部の上縁部が足首に食い込むように当たってしまう。
そこで、本請求項では、歩行のため足首を屈曲する際、前記固定用ベルト部の上縁部側が足首に当たってしまい、歩行を妨げたり、足首に当たることに伴い、靴が変形してしまい、ホールドのためのバランスが崩れて足がずれてしまうことや、固定用ベルト部が外れてしまうことを防ぐために、前記固定用ベルト部の上縁部側が凹状に形成されている。
また、前記上縁部側が凹状に形成されているので、歩行中の使用者の足に前記固定用ベルト部が当たることを防止でき、歩行の妨げとならない。このため、例えば足首の太い使用者でも歩き易い靴となる。
【００１８】
好ましくは、請求項４の発明によれば、請求項１乃至請求項３のいずれかの構成において、前記固定用ベルト部の中央部の幅が両端部の幅に比して狭く形成されていることを特徴とする幼児用靴である。
【００１９】
請求項４の構成によれば、前記固定用ベルト部の中央部の幅が両端部の幅に比して狭く形成されている。このため、前記固定用ベルト部の両端部の幅を中央部に比べ、広く形成することができるので、前記係合手段における係合を確実に保持する等、前記固定用ベルト部をより強固に前記アッパー本体部に固定させることができる。
また、前記固定用ベルト部の中央部の幅が両端部の幅に比して狭く形成されているので、前記固定用ベルト部の中央部が、歩行の際に使用者の足首に当たって歩行の妨げとなるのも防止することができる。
【００２２】
好ましくは、請求項５の発明によれば、請求項１乃至請求項４のいずれかの構成において、前記アッパー本体部に形成された履き口部と前記足挿入用開口部とで形成される開口と、前記靴とを平面図において表した場合に、前記開口の最大長さが、前記靴の最大長さに対して、５５％以上に形成されていることを特徴とする幼児用靴である。
【００２３】
請求項５の構成によれば、前記アッパー本体部に形成された履き口部と前記足挿入用開口部とで形成される開口と、前記靴とを平面図において表した場合に、前記開口の最大長さが、前記靴の最大長さに対して、５５％以上に形成されているので、従来の靴に比べ著しく前記履き口部と前記足挿入用開口部とで形成される前記開口を大きく形成することができ、履きやすい。
【００２４】
なお、ここで示す５５％以上とは、１００％でも構わないが、靴の構造を考慮すると５５％乃至７５％であることが好ましい。
【００２５】
好ましくは、請求項６の発明によれば、請求項１乃至請求項５のいずれかの構成において、前記舌状当接部上に配置される前記固定用ベルト部の幅が２０ｍｍ乃至２５ｍｍに形成されていることを特徴とする幼児用靴である。
【００２６】
請求項６の構成によれば、前記舌状当接部上に配置される前記固定用ベルト部の幅が２０ｍｍ乃至２５ｍｍに形成されている。すなわち、前記舌状当接部上に配置される前記固定用ベルト部の幅が２５ｍｍ超の場合は、幅が広すぎて、使用者の足のサイズや形状の違いに対応することができず、固定用ベルト部の位置ズレが起こり易く、結果的に固定が不十分となり、前記固定用ベルトがズレ易くなる。
一方、前記舌状当接部上に配置される前記固定用ベルト部の幅が２０ｍｍ未満の場合は、使用者の足の屈曲等により前記固定用ベルト部のねじれが生じ、使用者の足と前記固定用ベルト部との相対位置が変化し、前記固定用ベルト部で足をしっかり固定することが困難となってしまうことや、固定用ベルト部が足に食い込んでしまい固定することができなくなってしまうためである。
【００２９】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３０】
（第１の実施の形態）
図１は、本発明の実施の形態に係る伝え歩き期の幼児用靴１００（以下、「幼児用靴１００」とする）を示す概略斜視図である。図２は図１の幼児用靴１００の爪先側を示した概略正面図である。図３は図２の幼児用靴１００の踵側を示した概略背面図であり、図４（ａ）は図２の幼児用靴１００の右側面とカウンター部とを示した概略右側面図、図４（ｂ）図２の幼児用靴１００の右側面を示した概略右側面図、図５は図２の幼児用靴１００の概略左側面図である。また、図６は図２の幼児用靴１００の概略平面図、図７は図２の幼児用靴１００の概略底面図である。
図１に示す幼児用靴１００を履く、伝え歩き期の幼児は、例えば８ヶ月乃至１２ヶ月の月齢の幼児であり、その歩行形態は、机等につかまり、手の力を使い、「つかまり立ち」をしながら横に移動する状態である。そして、この「つかまり立ち」の際に、爪先立ちをしたり、爪先立ちをした状態で歩こうとする特徴がある。
【００３１】
ところで、図２及び図７に示すように、幼児用靴１００には、挿入された幼児等の足の足裏側を配置させる内面側と、現実に地面等に接地する部分である靴底部である靴底１２０を有している。この靴底１２０には、図７に示すように、例えば円形の滑り止め部１２１が多数、形成されている。
このように多数の円形の滑り止め部１２１を靴底１２０の表面に形成することで、幼児用靴１００を履いた幼児等が滑ることなく歩行等をすることができるようになっている。
また、この靴底１２０は、伝え歩き期が始まる例えば８ヶ月程度の月齢の幼児の足の動きに追従できる程度の軟らかい材質から形成されており、例えば、ポリエステル、綿、ナイロン、キャンバス（帆布）、トリコット、合成ゴム等により形成されている。
【００３２】
この靴底１２０の上部には図２等に示すように、アッパー本体部であるアッパー１１０が、幼児等の足を包み込むように形成されている。
このアッパー１１０は、伝え歩き期の幼児の歩行の際に行われる足首や足指等の屈曲の妨げとならないために、全体がやわらかい材質によって形成されており、表面をメッシュ加工されたポリエステル等で形成されることにより、特に通気性が確保されている。
このアッパー１１０には、図１等に示すように幼児等の足を挿入するための履き口１１１が形成されている。そして、この履き口１１１の一部を切り欠いて爪先側方向へ向かって略Ｕ字状に足挿入用開口部１１２が形成され、この開口は履き口１１１の開口と連接して形成されている。
【００３３】
この足挿入用開口部１１２には、図１等に示すように舌状当接部である舌片１１３が、この開口を塞ぐように配置されている。
この舌片１１３は、表面がメッシュ加工されたポリエステル等で形成され、内側はポリエステル等の柔軟性に富む素材により構成されている。
また、この舌片１１３の爪先側の端部は、図１等に示すアッパー１１０の足挿入用開口部１１２の爪先側の端部又はその近傍に設けられた舌状当接部取り付け領域である縫合部１１４に対して例えば縫合等により固定されている。
【００３４】
このため、舌片１１３は、図１の縫合部１１４を固定端として湾曲し、舌片１１３を幼児用靴１００の爪先側に倒すことができ、これにより、足挿入用開口部１１２を開状態とすることができ、幼児等の使用者が足を挿入する際に、舌片１１３が邪魔になることがない。
図８は、舌片１１３を爪先側に開き、履き口１１１と足挿入用開口部１１２を開にした状態を示す概略平面図である。
【００３５】
このように舌片１１３を開くことにより、履き口１１１と、これに連接する足挿入用開口部１１２とで形成される開口は、極めて大きくなり、母親等の保護者が幼児に幼児用靴１００を履かせる際に、幼児の足を挿入し易い構成となる。
この履き口１１１と足挿入用開口部１１２によって形成されている開口を平面図である図８に示した場合、図８のＬ１は、例えば７０ｍｍ乃至８０ｍｍ程度に形成されている。
これは、図８における幼児用靴１００を平面図である図８に示した場合、図８の全長（Ｌ２）が１２０ｍｍ乃至１４０ｍｍであることから、全長（Ｌ２）の５５％以上となり、好ましくは、５５％乃至７５％という大きな開口を形成することができることになる。
【００３６】
ところで、図１に示すように、幼児用靴１００の足挿入用開口部１１２の開口状態を任意の状態に保持するための固定用ベルト部１３０がアッパー１１０に配置されている。
この固定用ベルト部１３０は舌片１１３と同様に表面がメッシュ加工されたポリエステル等により形成され、内側はポリエステル等の柔軟性に富む素材により構成されているので、容易に変形可能に形成されている。
なお、図１に示す固定用ベルト部１３０の外周１３０ａは綿等によってパイピングされており、長さ方向に伸びてしまうなどの変形を防いでいる。
また、この固定用ベルト部１３０は、その左端部（内足側）１３１が図４及び図９に示すようにアッパー１１０に固定され固定端となっている。
図９は図１の固定用ベルト部１３０を開いた状態を示す概略斜視図である。
図９に示されるように、固定用ベルト部１３０は、履き口１１１側に凹状となるように弓形に形成されており、後述するように固定用ベルト部１３０が幼児等の足の足高点又はその近傍を固定する構成となっている。したがって、固定用ベルト部１３０は幼児等が幼児用靴１００を履いて歩行した際に、幼児等の足に当たらない構成となっている。
【００３７】
そして、他方の一端部である右端部（外足側）１３２には、着脱可能な係合手段である面ファスナー１３２ａが形成されている。そして、この面ファスナー１３２ａに対応するアッパー１１０の表面にも、対応する面ファスナー１３３ａが形成されている。
【００３８】
したがって、固定用ベルト部１３０の右端部１３２に設けられた面ファスナー１３２ａと、アッパー１１０に設けられた面ファスナー１３３ａとの係合位置を調整することにより、幼児用靴１００の足挿入用開口部１１２の開口を任意の状態に保持させることができる構成となっている。
なお、通常は右端部１３２の面ファスナー１３２ａを、アッパー１１０の面ファスナー１３３ａに装着すると、それぞれ両端部１３１，１３２が靴の長手方向である前後方向に対して左右対称の位置に配置されるように構成されている。
このため、固定用ベルト部１３０の締め付け量を大とした場合に伴う幼児用靴１００の全体の歪み等を低減することができると共に、前記固定用ベルト部１３０を左右均等に力をかけるころになるため、後述する幼児等の足の足高点側から踵方向に正しく力をかけて踵を幼児用靴１００の踵部１１５に確実に固定することができる。
したがって、幼児が歩行をし易く、若しくは歩行練習をし易い靴となっている。
【００３９】
また、この固定用ベルト部１３０の右端部１３２の固定は、面ファスナー１３２ａ，１３３ａの着脱だけなので、紐等によって固定する場合より極めて容易に着脱することができる。したがって、幼児等が足を入れた後は、容易に足をしっかり靴に固定することができ、母親等の介助者にとっても履かせ易い靴となる。
【００４０】
ところで、図１に示す幼児用靴１００には、挿入された幼児の足の踵が配置される踵部１１５が形成されている。この踵部１１５は、具体的には、図４（ａ）に示すように、靴底１２０に形成される靴底側踵部である靴底側踵部１２２と、アッパー１１０に形成されるアッパー本体側踵部であるアッパー側踵部１１６とを有している。
このような踵部１１５のうち、アッパー側踵部１１６は、上述のアッパー１１０の一部として形成されているため、踵部１１５としては剛性が不足し、使用者である幼児等の足の踵を適度のホールドすることができない。
そのため、図４（ａ）に示すように、アッパー側踵部１１６の内側には、アッパー側踵部１１６の剛性を高めるためカウンター部１４０が配置されている。
【００４１】
このカウンター部１４０は、具体的には、図４（ａ）に示すように側面形状が略扇形の形状をしており、厚みが例えば１．２ｍｍ程度のゴム等により形成されている。
このカウンター部１４０がアッパー側踵部１１６の内部に配置されることにより、アッパー側踵部１１６の剛性が向上し、図４（ａ）に示す踵１１５全体の剛性が向上することになる。
そして、剛性の向上した踵部１１５に幼児等の足の踵が正確にホールドされることとなる。
【００４２】
このように、幼児用靴１００のアッパー側踵部１１６の内部にカウンター部１４０が配置されるが、このカウンター部１４０の外縁部１４１に近接して、図４（ａ）に示すように固定用ベルト部１３０の左端部１３１が配置されている。
なお、右端部１３２も同様の構成である。
このように幼児用靴１００のカウンター部１４０に対して固定用ベルト部１３０の両端部１３１、１３２が直接固定されていない。このため、歩行に伴う足首の前方への屈曲による変形等を外縁部１４１と固定用ベルト部１３０の両端部１３１，１３２との間に配置された、柔軟な素材によるアッパー１１０の変形で吸収する。これにより、幼児等の歩行時の足の変形により生じる幼児用靴１００の変形を吸収でき、幼児に不必要な負担をかけることがなく、歩き易い幼児用靴１００となっている。
【００４３】
すなわち、逆に、固定用ベルト部１３０の両端部がカウンター部１４０に直接、固定されている場合は、カウンター部１４０の剛性が高いため、歩行に伴う足首の変形により生じる幼児用靴１００の変形を吸収できず、足首の変形を妨げる幼児用靴となり、幼児が歩行し難い靴となる。
【００４４】
ところで、図４（ａ）（ｂ）及び図５は、固定用ベルト部１３０の右端部１３１の面ファスナー１３２ａをアッパー１１０の面ファスナー１３３ａに係合させ、使用者が歩行する際の固定用ベルト部１３０の配置状態を示している。
このとき、図４（ａ）に示す固定用ベルト部１３０の左端部１３１の幅方向における略中央部を結んだ仮想線が仮想線Ａである。
この仮想線Ａをそのまま延長した場合に、この仮想線Ａが幼児用靴１００の最後端領域である図４（ａ）における靴の右端側で、アッパー側踵部１１６と靴底側踵部１２２との境界部Ａ’に達するように、固定用ベルト部１３０は配置される。
このとき、仮想線Ａを延長して、図４（ａ）に示す載置面（床）の仮想線Ｄと交差する部位における角度θは、例えば３０度乃至４０度となっている。
【００４５】
すなわち、このように固定用ベルト部１３０の両端部１３１、１３２が配置されると、使用者である幼児等が幼児用靴１００を履き、固定用ベルト部１３０で足を固定する際、固定用ベルト部１３０は、図４（ａ）の仮想線Ａに示すように、靴の中の足を靴の踵部１１５方向へ固定するように作用することとなる。
このように足を靴の踵部１１５方向へ向かって足を固定すると、従来のように足を靴底方向へ固定する場合に比べ、格段に足のホールド性が向上することとなる。
特に、歩行時において足の位置がズレ易い踵部１１５において足を固定することとなり、歩行による幼児用靴１００内における足のズレを防ぐことができる。また、この靴の踵部１１５のアッパー側踵部１１６には、上述のように剛性を高めるためのカウンター部１４０が配置されているため、固定用ベルト部１３０で足を踵部１１５方向に押し付けられると、このカウンター部１４０の存在により、より強固に足の踵が靴の踵部１１５に固定されるので、足のホールド性が著しく向上することとなる。
【００４６】
また、このとき図４（ａ）に示すように、カウンター部１４０の外縁部１４１と固定用ベルト部１３０の両端部１３１等とが近接して配置されているため、カウンター部１４０の剛性の高さを有効に利用することができる。
すなわち、固定用ベルト部１３０で足を踵方向へ押し付ける際、カウンター部１４０の剛性を最大限有効に利用しつつ、足の踵を靴の踵部１１５に固定させることができる。
【００４７】
次に、図４（ａ）及び図５における固定用ベルト部１３０の下縁部１３４側は、幼児等の足の甲における足高点又はその近傍に配置されるようになっている。この足の足高点又はその近傍は、具体的には図１０の矢印Ｂで示す点である。図１０は人における足の骨格等の概略説明図である。
このように固定用ベルト部１３０の下縁部１３４側が、幼児の足の甲の足高点Ｂの部分に配置されると、固定用ベルト部１３０が、足高点Ｂから踵点の方向に向かって固定することになる。
このため、固定用ベルト部１３０が幼児の足の甲を靴底１２０方向に押し付け、幼児用靴１００の中の足のホールド性が低下するのを効果的に防ぐことができる。
【００４８】
すなわち、幼児の足の足高点Ｂ又はその近傍より、図１０において爪先側の足の甲に固定用ベルト部１３０が配置されると、この固定用ベルト部１３０の押し付け力は足の甲側から足の裏側に向けられ、足を靴底１２０側に押し付け足を固定しようとする。
これでは、足の甲の部分を押し付けるだけで、幼児用靴１００の中における足の動きが大きくなりやすく、足がズレ易く、足の踵の固定ができず、歩きずらくなってしまう。
すなわち、足が十分に固定されても足が屈曲し難く、靴の中で足が位置ズレを起こしやすい幼児用靴１００となる。また、足首側に固定用ベルト部１３０が配置された場合も、靴の中で足の位置ズレが生じたり、歩行時に固定用ベルト部１３０が足首に当たって動きを妨げてしまう。
この点、本実施の形態の幼児用靴１００によれば、固定用ベルト部１３０の下縁部１３４側が幼児の足の足高点Ｂに配置されるので、不必要に足の甲を足裏側に押さえつけることがない。特に、固定用ベルト部１３０が、足高点Ｂから爪先側の足の甲に配置されるのを有効に防止できるので、より精度良く幼児の足を幼児用靴１００の踵部１１５に押し付けることができ、幼児の足のホールド性がより高まり、歩行を妨げない幼児用靴１００となる。
【００４９】
ところで、図１１は、本実施の形態に係る幼児用靴１００を幼児が履き、歩行や、この時期に多く見られる爪先立ちのために足の踵を持ち上げている状態を示す概略斜視図であり、図１２は、図１１の幼児用靴１００の概略断面図である。図１３は、人の足の足指屈曲線を示す概略説明図である。
図１２に示すように、幼児が幼児用靴１００を履き、足の踵を浮かせる動きをするときは、足の指の足指屈曲線と呼ばれる部分が屈曲することにより行われる。
具体的には、図１３に示すように、足の指には親指側から小指までを、それぞれ第１趾乃至第５趾と呼ぶ。そして、各第１趾乃至第５趾にはそれぞれ、図１３に示すように中足指関節が設けられている。
足の屈曲に用いられるのは、図１３で矢印Ｃで示す、足指屈曲線Ｃであり、この足指屈曲線Ｃは、ほぼ前記中足指関節又はその近傍に配置されることになる。
【００５０】
また、この足指屈曲線Ｃに沿って屈曲する足の屈曲運動は歩行に際し、重要な動作であるため、特に歩行が上手くできない幼児等のための靴では、この足指屈曲線Ｃに沿って屈曲し易い靴であることが重要となる。
本実施の形態では、使用者である幼児の足指屈曲線Ｃ又はその近傍の上方に相当する位置に図１に示す縫合部１１４が形成されている。
この縫合部１１４は、上述のように、足挿入用開口部１１２の爪先側の端部又はその近傍のアッパー１１０に設けられている。そして、この縫合部１１４において、図１の舌片１３０の爪先側の端部が縫合等によりアッパー１１０に取り付けられ、前述の固定端が形成されることになる。
【００５１】
このような縫合部１１４は、縫合等されるため周囲のアッパー１１０に比べ脆弱部となる。そして、この脆弱部は、同時に、幼児の足の足指屈曲線Ｃの上方に相当する位置となる。
したがって、図１の縫合部１１４は、幼児等の足の足指屈曲線Ｃの上方に相当するため、足指屈曲線Ｃに沿って幼児が足を屈曲させた場合、この縫合部１１４が足指屈曲線Ｃに沿って屈曲する。
また、靴底１２０の内側には、図１２に示すようにインソール４００が配置されている。このインソール４００における足指屈曲線Ｃ又はその近傍に対応する靴底側の位置には、脆弱部となる屈曲溝４０１が形成されている。
図１４（ａ）はインソール４００の概略底面図であり、図１４（ｂ）は（ａ）のＥ−Ｅ’線概略断面図である。
図１４（ａ）に示すように、屈曲溝４０１は、爪先側に膨らんだ曲線形状とされ、図１４（ｂ）の屈曲溝４０１も足指屈曲線Ｃに沿って幼児が足を屈曲させた場合、前記縫合部１１４と同様に足指屈曲線Ｃに沿って屈曲することになる。
このため、足の屈曲に追従して屈曲し易い、歩き易い靴となる。
【００５２】
ところで、図１に示す固定用ベルト部１３０の舌片１１３上に配置される部分の幅は、２０ｍｍ乃至２５ｍｍ程度に形成されている。すなわち、この部分の幅が、２５ｍｍ超の場合は、幅が広すぎて幼児の足のサイズや形状の違いに対応することができず、固定用ベルト部１３０の位置ズレが起こりやすく、足の凹凸に対応して固定用ベルト部１３０が追従することができず、結果的に固定用ベルト部１３０による足の固定が不十分となり、足が幼児用靴１００の中でズレ易くなる。
【００５３】
一方、前記部分の幅が、２０ｍｍ未満の場合は、足に食い込んでしまいやすくなるだけでなく、幼児の足の屈曲運動により固定用ベルト部１３０のねじれが生じ、幼児の足と固定用ベルト部１３０との相対位置が変化し、固定用ベルト部１３０で足をしっかり固定することが困難となってしまうからである。
したがって、固定用ベルト部１３０の舌片１１３上に配置される部分の幅が、２０ｍｍ乃至２５ｍｍ程度に形成されていれば、足が靴の中でズレることなく、固定用ベルト部１３０でしっかりと足を固定できる優れた固定用ベルト部１３０となる。
【００５４】
ところで、図１５は、本実施の形態の幼児用靴１００のアッパー１１０の爪先部の形状を示す概略断面図である。
図１５に示すように幼児用靴１００のアッパー１１０の爪先部の内側は、幼児の足の親指が配置される部分が最も厚く、小指が配置される部分に向かって漸次薄くなるように形成されている。
すなわち、アッパー１１０の爪先部の内側における親指との間の上下方向における隙間部が、他の足指と前記爪先部の内側との隙間部に比べ大きくなるように形成されている。
【００５５】
このように親指と前記爪先部との間に最も隙間部が形成されているのは、幼児が歩行に際して親指を背屈させても、この親指の背屈動作を前記爪先部が阻害しないためである。
このため幼児が歩行に際して、バランスを保つため、幼児用靴１００の内部で親指を背屈することが可能であるので、円滑な歩行練習ができる構成ともなっている。
また、アッパー１１０の爪先部の内側における小指の外側は、指を開くこと妨げないよう隙間部が形成されており、幼児が歩行に際して、バランスを保つために、特に小指を開きやすくされている。
なお、上述の構成以外に、図１に示すように履き口１１１の近傍にはカウンターループ１４２が形成されている。
【００５６】
本実施の形態に係る幼児用靴１００は、以上のように構成されるが、以下その使用方法等について説明する。
ここでは、介助者である母親等が、子である幼児に幼児用靴１００を履かせることを例に説明する。
先ず、母親は図１に示す幼児用靴１００の固定用ベルト部１３０の右端部１３２を把持し、図９に示すように、面ファスナー１３２ａ、１３３ａの係合を解除させる。
その後、図９の舌片１１３の上端部を把持し、舌片１１３の縫合部１１４側の固定端を中心に、自由端である他の部分を靴の爪先側に開く。この状態を示したのが図８である。
図８に示すように履き口１１１と足挿入用開口部１１２で形成される開口の長さ（Ｌ１）は幼児用靴１００の全長（Ｌ２）に比べ、例えば約６０％にも達するため、大きな開口を形成することができる。
【００５７】
また、このような大きな開口が形成されるため、母親が幼児の足を挿入させやすい、すなわち、履かせ易い幼児用靴１００となる。
次に、母親は上述と逆に、舌片１１３を図９の状態に戻し、その上から固定用ベルト部１３０の右端部１３２の面ファスナー１３２ａをアッパー１１０の面ファスナー１３３ａと係合させ、固定する。
したがって、紐等によって固定するのと異なり母親等は容易に幼児に幼児用靴１００を履かせることができる。
このとき、固定用ベルト部１３０の両端部１３１，１３２は上述のように左右対称位置等に配置されるように構成されている。このため、固定用ベルト部１３０の締め付けすぎにより、幼児用靴１００が歪むことなく、確実に足を靴に固定できる。
また、この固定用ベルト部１３０は、幼児の足の甲を靴底方向に押し付けるのではなく、踵方向に押し付けて固定するので、歩行の邪魔に成らずに足が靴の内部で固定されるので、歩行し易く、且つホールド性が高い幼児用靴１００となる。
なお、母親等が幼児用靴１００を脱がす場合においても、同様に前記開口を大きくすることができるため、脱がし易い靴となる。
【００５８】
（第１の実施形態の変形例）
図１６は、上述の第１の実施の形態の幼児用靴１００の変形例である伝え歩き期の幼児用靴（以下、「幼児用靴」とする）２００を示す概略斜視図である。
本変形例に係る幼児用靴２００では、第１の実施の形態の幼児用靴１００と異なりアッパー本体部であるアッパー２１０の表面に２種類の表生地が配置されている。
具体的には、図１６に示すように、爪先部及び踵部２１５を構成している合皮製の表生地２１０ａと、側面部を構成しているメッシュ加工されたポリエステルナイロン、キャンパス、綿、トリコット等の柔軟な素材で形成された表生地２１０ｂとが使用されている。
【００５９】
そして、これら爪先部を形成する合皮製の表生地２１０ａと側面部を構成するポリエステル等の表生地２１０ｂとの境界部２１０ｃは、ポリエステル等の表生地２１０ｂが合皮製の表生地２１０ａより柔らかく、また縫合に伴い、脆弱部となっている。
この脆弱部である境界部２１０ｃの下方に足の足指屈曲線Ｃ配置されるため、この境界部２１０ｃは、幼児が歩行する際、足指の屈曲に応じて変形する。したがって、より歩行しやすく、足の屈曲の妨げにならない幼児用靴２００となる。また、本変形例の幼児用靴２００の舌状当接部である舌片２１３の爪先側端部も、足挿入用開口部２１２の略Ｕ字状の底部近傍でアッパー２１０に設けられた舌状当接部取り付け領域である縫合部２１４で縫合等され、固定端となっている。この縫合部２１４の形状は、第１の実施の形態と異なるが、幼児用靴１００の縫合部１１４と同様の作用等を奏する。
【００６０】
その他の構成は、形状が若干異なるが、それらの機能等は第１の実施の形態と同様の固定用ベルト部２３０等が配置されている。
その他、履き口２１１，カウンターループ２４２、そして踵部２１５等が配置されている。この踵部２１５には、第１の実施の形態と同様にカウンター部２４０が内部に配置されている。
このように本変形例に係る幼児用靴２００でも、第１の実施の形態の幼児用靴１００と同様の作用、効果等を奏させることができると共に、固定用ベルト部２３０や踵部２１５が、剛性の高い合皮により形成され、確実にホールドすることや、幼児の足指屈曲線Ｃに沿った屈曲が容易且つ精度良く行われるため、歩行しやすい靴となる。
【００６１】
（第２の実施の形態）
図１７は、本発明の第２の実施の形態に係る歩行練習期の幼児用靴（以下、「幼児用靴」という）３００を示す概略斜視図である。図１８は、図１７の幼児用靴３００の底面を示す概略底面図である。
この幼児用靴３００は、第１の実施の形態の幼児用靴１００より月齢が経ち、１人で前に向かって歩くことができるようになり始め、足の裏全体を地面につけて足の指でバランスを取りながら歩く、歩行練習期に用いられるものである。
すなわち、月齢が例えば１２ヶ月程度の幼児が対象となる。この月齢の幼児は、第１の実施の形態の幼児用靴１００が対象とする幼児と異なり、手を離して前によちよち歩き始める月齢となる。
【００６２】
図１７に示すように、幼児用靴３００は、第１の実施の形態の幼児用靴１００と異なり、靴底部である靴底３２０の構成が大きく異なる。
すなわち、靴底３２０は、歩く際の衝撃を吸収し、滑り止め効果を有する弾性部材である熱可塑性エラストマーや合成ゴム、天然ゴム等で形成され、図１７に示すように踵部３１５の上部まで配置されている。
この踵部３１５の内部には、第１の実施の形態の幼児用靴１００と同様にカウンター部３４０が配置されているが、このカウンター部３４０と靴底３２０によって、幼児の足の踵が靴の踵部３１５に精度良く、固定されることになる。
【００６３】
また、本実施の形態の幼児用靴３００の固定用ベルト部３３０は、第１の実施の形態の幼児用靴１００の固定用ベルト部１３０と大きく異なる構成となっている。
すなわち、図１７及び図１９に示すように、固定用ベルト部３３０の中央部の上縁部は凹状に形成されていると共に、下縁部も凹状とされることで、固定用ベルト部３３０の右端部３３２と左端部３３１の幅に比べ、中央部の幅が狭く形成されている。
一般に幼児が幼児が靴を履き、歩行練習をすると足首が前方（爪先側）に屈曲する。このとき、この屈曲した足首が舌片３１を介して固定用ベルト部３３０の中央の上縁部に押し付けられ、この上縁部が足首に当たって歩行の妨げとなっていた。
【００６４】
特に、足首の太い場合は、更に固定用ベルト部３３０の中央部の上縁部が食い込むためより歩行し難くなっていた。
しかし、本実施の形態の幼児用靴３００では、固定用ベルト部３３０の中央部の上縁部、図１７の舌片３１３の上に配置されている部分が凹状に形成されている。このため、幼児が靴を履き、歩行練習をするため、足首が前方（爪先側）に屈曲するとき、この屈曲した足首が舌片３１を介して固定用ベルト部３３０の中央の上縁部側に移動しても凹状の構成で、その移動を吸収し、固定用ベルト部３３０が、幼児の足首に当たることを未然に防ぐ構成となっている。
【００６５】
また、本実施の形態の幼児用靴３００の固定用ベルト部３３０は、上述のように両端部３３２，３３１が中央部より幅広に形成されている。このため、固定用ベルト部３３０をアッパー本体部であるアッパー３１０に取り付ける面積を大きくとることができるので、より強固に足を靴に固定することができる。このとき固定用ベルト部３３０の中央部の幅を狭くすれば、上述の足首への当たりによる歩行の妨げも同時に解消することができることになる。
なお、本実施の形態の幼児用靴３００の固定用ベルト部３３０の両端部３３２，３３１も、第１の実施の形態の固定用ベルト部３３０と同様に、その仮想線Ａが踵部１１５に対して配置されるように形成されるので、固定用ベルト部３３０によって靴の中の足は踵方向へ押し付けられる構成となっている。
したがって、足のホールド性に優れ、屈曲し易く歩行しやすい靴となっている。
【００６６】
なお、図１７に示す履き口３１１、足挿入用開口部３１２、カウンターループ３４２は、第１の実施の形態とほぼ同様の機能等を発揮するものである。
ところで、図１８に示すように、靴底３２０には屈曲用の溝部３２１が複数、形成されている。
この溝部３２１は、上述の図１３に示す足指屈曲線Ｃに対応する位置に沿って、爪先側に膨らんだ曲線形状として、配置されている。したがって、幼児が足指屈曲線Ｃに沿って足を屈曲させた場合、その屈曲を助ける方向に靴底３２０が屈曲するため、より滑らかな歩行が可能となる。
また、図１７に示すように、トウキャップ３５０が足指屈曲線Ｃの近傍で縫合されており、溝部３２１の爪先側となっているため溝部３２１と協同して屈曲しやすさを確保している。
【００６７】
図１９は図１７の固定用ベルト部３３０の一方の自由端である右端部３３１を開放した状態を示す概略斜視図である。
図１９に示すように、本実施の形態の幼児用靴３００の固定用ベルト部３３０の右端部３３１とアッパー３２０面には、第１の実施の形態と同様に、面ファスナー３３３ａ、３３２ａが形成され、容易に係合可能にとなっている。
また、舌片３１３も第１の実施の形態の幼児用靴１００の舌片１１３と同様に爪先側に倒れて、履き口３１１と足挿入用開口部３１２とで広い開口を形成することができる。
したがって、このような幼児用靴３００も幼児が足を挿入し易く、且つ足のホールド性が高く、歩きやすい理想的な幼児用靴３００となる。
以上の構成以外の他の構成については、第１の実施の形態と同様の構成となっている。
【００６８】
本発明は、上述の各実施の形態に限定されない。さらに、上述の各実施の形態は、相互に組み合わせて構成するようにしてもよい。
【００６９】
【発明の効果】
以上述べたように、本発明によれば、使用者の足を挿入し易く、かつ、挿入した足を十分に固定できる、履き易く且つホールド性に優れた歩き易い幼児用靴を適用することができる。
【図面の簡単な説明】
【図１】本発明の実施の形態に係る伝え歩き期の幼児用靴を示す概略斜視図である。
【図２】図１の幼児用靴の爪先側を示した概略正面図である。
【図３】図２の幼児用靴の踵側を示した概略背面図である。
【図４】（ａ）図２の幼児用靴の右側面及びカウンター部を示した概略右側面図である。（ｂ）図２の幼児用靴の右側面を示した概略右側面図である。
【図５】図２に幼児用靴の概略左側面図である。
【図６】図２の幼児用靴の概略平面図である。
【図７】図２の幼児用靴の概略底面図である。
【図８】舌片を爪先側に倒し、履き口と足挿入用開口部を開にした状態を示す概略平面図である。
【図９】図１の固定用ベルト部を開いた状態を示す概略斜視図である。
【図１０】人における足の骨格等の概略説明図である。
【図１１】本実施の形態に係る幼児用靴を幼児が履き、歩行のための足の踵を持ち上げている状態を示す概略斜視図である。
【図１２】図１１の幼児用靴の概略断面図である。
【図１３】人の足の足指屈曲線を示す概略説明図である。
【図１４】（ａ）はインソールの概略底面図であり、図１４（ｂ）は（ａ）のＥ−Ｅ’線概略断面図である。
【図１５】本実施の形態の幼児用靴のアッパーの爪先部の形状を示す概略断面図である。
【図１６】第１の実施の形態の幼児用靴の変形例である伝え歩き期の幼児用靴を示す概略斜視図である。
【図１７】本発明の第２の実施の形態に係る歩行練習期の幼児用靴を示す概略斜視図である。
【図１８】図１６の幼児用靴の底面を示す概略底面図である。
【図１９】図１７の固定用ベルト部の一方の自由端である右端部を開放した状態を示す概略斜視図である。
【符号の説明】
１００、２００・・・伝い歩き期の幼児用靴、１１０、２１０、３１０・・・アッパー、１１１，２１１，３１１・・・履き口、１１２，２１２，３１２・・・足挿入用開口部、１１３，２１３，３１３・・・舌片、１１４，２１４・・・縫合部、１１５，２１５，３１５・・・踵部、１１６・・・アッパー側踵部、１２０，３２０・・・靴底、１２１・・・滑り止め部、１２２・・・靴底側踵部、１３０，２３０，３３０・・・固定用ベルト部、１３１、３３１・・・左端部、１３２、３３２・・・右端部、１３２ａ、１３３ａ、３３２ａ、３３３ａ・・・面ファスナー、１３４・・・下縁部、１４０、２４０・・・カウンター部、１４１・・・外縁部、１４２、２４２、３４２・・・カウンターループ、２１０ａ・・・合皮製の表生地、２１０ｂ・・・ポリエステルの表生地、２１０ｃ・・・境界部、３００・・・歩く歩行練習期の幼児用靴、３２１・・・溝部、３５０・・・トウキャップ、４００・・・インソール、４０１・・・屈曲溝、Ａ・・・仮想線、Ａ’・・・境界部、Ｂ・・・足高点、Ｃ・・・足指屈曲線、Ｄ・・・載置面の仮想線
【図１】
0004024058.tif 000002
【図２】
0004024058.tif 000003
【図３】
0004024058.tif 000004
【図４】
0004024058.tif 000005
【図５】
0004024058.tif 000006
【図６】
0004024058.tif 000007
【図７】
0004024058.tif 000008
【図８】
0004024058.tif 000009
【図９】
0004024058.tif 000010
【図１０】
0004024058.tif 000011
【図１１】
0004024058.tif 000012
【図１２】
0004024058.tif 000013
【図１３】
0004024058.tif 000014
【図１４】
0004024058.tif 000015
【図１５】
0004024058.tif 000016
【図１６】
0004024058.tif 000017
【図１７】
0004024058.tif 000018
【図１８】
0004024058.tif 000019
【図１９】
0004024058.tif 000020